(57)【要約】【課題】従来、災害時及び非常時の洋式トイレにおいて、洋式便器または洋式便座に排泄袋を固定し、排泄袋を外し密閉する方法や便座下に排泄ポットを設置し、移動し排泄袋を排泄ポットから取出し、密閉し廃棄する方法に対して、排泄袋を取り出す事無く密閉し、排泄後に直ちに臭気遮蔽を行ない、トイレ内の環境を損なう事無く排泄が可能な構造の循環利用型の排泄袋密閉型格納キットを提供する。【解決手段】ガードプレート１に内蔵したマグネット遮蔽蓋３にて一次遮蔽を行ない、排泄袋格納バケット２に設置した密閉ガイドスプリングワイヤー５が密閉ラチェットバンド４にて排泄袋６を密閉する機構を有し、排泄後容易に搬送可能な循環利用型の排泄袋密閉型格納キットを提供できる。【選択図】図４
2019072436.tif 000002
【特許請求の範囲】
【請求項１】
災害時及び非常時における排泄物の処理に対応する為のガードプレートと排泄袋格納バケットと密閉ラチェットバンドからなる排泄袋密閉型格納キットであって、前記のガードプレートはマグネット遮蔽蓋を内臓し、前記の排泄袋格納バケットは排泄袋を取り出す事無く、溝型断面を持つ密閉ガイドスプリングワイヤーにより前記の密閉ラチェットバンドの密閉を行なえる機構を有する排泄袋密閉型格納キット。
【請求項２】
既設の洋式便器及び非常用組立型洋式便器に対し、便座開口部に請求項１の排泄袋密閉型格納キットを用い、請求項１のガードプレートのマグネット遮蔽蓋を開き排泄を行なう、排泄後に請求項１のガードプレートのマグネット遮蔽蓋を閉じ、請求項１の排泄袋密閉型格納キットを取り出し、密閉ガイドスプリングワイヤーを引く事で排泄袋を自動的に請求項１の密閉ラチェットバンドが密閉する、トイレ内を汚す事無く退出し、排泄物は衛生管理の出来ている場所にて排泄袋の処理を行なう排泄袋密閉型格納キットの使用方法。
【発明の詳細な説明】
【発明の詳細な説明】
【技術分野】
【０００１】  本発明は、災害時及び非常時に既存の洋式便器及び非常用組立型洋式便器に対応し、便座開口部に排泄袋密閉型格納キットを用いて排泄処理を行ない、尚且つ排泄袋密閉型格納キット内の排泄袋を取り出す事無く密閉可能な衛生管理を高めた排泄袋密閉型格納キットに関する。
【背景技術】
【０００２】  近年、災害の多発と地震の多発によって、被災地での人間の根源である排泄処理に対する対応が大きな問題と成っている、最大のトイレ数である洋式水洗トイレを災害時においても衛生的で、迅速な排泄行動が出来る事が要求されている。【０００３】  現状において、洋式便器での非常時の排泄物処理に際して多くの場合、排泄袋を用いるが排泄袋の密閉においては、排泄袋を手動にて紐状の結びにより行なう動作が必要とされる、トイレ内での排泄袋の取扱いを行なう事は子供や高齢者等弱者において扱いは難しいと考えられる、尚且つ排泄袋をトイレ外に移動する際の袋の安全性、排泄物の廃棄への排泄袋密閉性を解消する必要がある。【０００４】  このため、排泄袋密閉型格納キットでは、特開２０１５−０１２９００号公報（特許文献１）や特開平１１−３１３７８１号公報（特許文献２）、などの便器型や特開２０１４−２２１０８１号公報（特許文献３）の様に移動型の汚物受け処理器具が開示されている、特願２０１７−１２２６２８号も同様の請求の範囲である、独自の簡易便器や非常用排泄ポットが公開されており必要性において重視されつつ有る。【０００５】  しかし、洋式便器を活用し、排泄袋の取り扱いが簡単な移動式搬送可能で衛生環境を保持し、災害時に多くの被災者が使用可能な洋式トイレを有効に衛生環境を保ち、排泄袋を密閉し集積場所まで、安全に臭気を気にする事無く扱う事の問題があった。
【先行技術文献】
【特許文献】
【０００６】
【特許文献１】特開２０１５−０１２９００号公報
【特許文献２】特開平１１−３１３７８１号公報
【特許文献３】特開２０１４−２２１０８１号公報
【特許文献４】特願２０１７−１２２６２８号
【発明の概要】
【発明が解決しようとする課題】
【０００７】  そこで本発明は、従来の非常時での排泄処理の問題が、臭気と排泄袋の密閉と捉え、独自の密閉機構方法として、内蔵したマグネット遮蔽蓋と排泄物を収納する袋を設置状態にて密閉する密閉ラッチェットバンドを使用する構造とした排泄袋密閉型格納キットを用いる事で、トイレ内での排泄袋の密閉処理を行なう問題を解決することを目的とする。【０００８】  また本発明は、移動型の排泄ポットが排泄処理において排泄後の密閉処理とその方法による密閉作業の煩雑な作業工程を、簡単に弱者においても可能な排泄袋密閉型格納キットを提供することを目的とする。
【課題を解決するための手段】
【０００９】  本発明は５つの主なる部品から構成され、その各部品において独自の目的と機構を有する事で問題を解決する、構成はマグネット遮蔽蓋を内臓したガードプレート、排泄袋を取り出す事無く密閉する機構を有する排泄袋格納バッケット、排泄袋を密閉する密閉ラチェットバンド及び密閉ガイドスプリングワイヤーの５つから構成される機構を持つ、排泄袋密閉型格納キットの完成に至った。【００１０】  具体的には、本発明におけるマグネット遮蔽蓋を内臓したガードプレートにおいて、内蔵された二分割構造のマグネット遮蔽蓋により開閉を行ない、二分割部を磁性体による密着とスライドレバーにおける解放が可能とする事で、排泄後の臭気を閉じ込める一次密閉を可能としている、マグネット遮蔽蓋が二分割構成で有る事から、遮断シートの損傷が有った場合に交換可能な構造からなる排泄袋密閉型格納キットが提供される。【００１１】  また、本発明のマグネット遮蔽蓋は、二分割接触部に磁性体を樹脂コーティングした素材を使用し接触面が密着され臭気を遮蔽する、開閉は樹脂製の開閉スライドバーグリップを移動する方式を採用しガイド溝に沿って移動を行なう、排泄袋密閉型格納キットが提供される。【００１２】  ここで、本発明における排泄袋を取り出す事無く密閉する機構は、排泄袋と排泄袋格納バッケットの間に密閉ガイドスプリングワイヤーを取付、格納バッケット内側のテーブル部に密閉ラチェットバンドを設置し排泄が完了後、マグネット遮蔽蓋を閉じ、排泄袋密閉型格納キットを洋式便器から取出した後に、密閉ガイドスプリングワイヤーを引いて密閉ラチェットバンドにて排泄袋を締付密閉し、密閉ガイドスプリングワイヤーはバネ状材質によって元の形状に戻る、排泄袋密閉型格納キットが提供される。【００１３】  また、本発明において二重密閉が排泄後に速やかに行なえる事の流用性は、接触感染を伴う病気において移動搬送可能な事から、病気における嘔吐にも対応し細菌への最小限の接触感染の防止が可能と考えられる、排泄袋の密閉ラチェットバンドによる密閉とマグネット遮蔽蓋における臭気の拡散防止が可能である事を排泄袋密閉型格納キットによって提供される。
【図面の簡単な説明】
【００１４】
【図１】  排泄袋密閉型格納キット模式的平面図である。
【図２】  排泄袋密閉型格納キットの模式的斜視図である。
【図３】  図１におけるＡ−Ａ模式的矢視図であり、片側はジャバラ収縮した形態である。
【図４】  図１におけるＣ−Ｃ模式的断面図である。
【図５】  図１におけるＢ−Ｂ模式的矢視図である。
【図６】  図１におけるＤ−Ｄ模式的断面図である。
【図７】  図４におけるＦ部の模式的詳細図である。
【図８】  図４におけるＧ−Ｇ矢視断面のマグネット遮蔽部（閉状態）模式的平面図である。
【図９】  図８のマグネット遮蔽部（閉状態）模式的Ｌ−Ｌ断面図である。
【図１０】  図４におけるＧ−Ｇ矢視断面のマグネット遮蔽部（開状態）模式的平面図である。
【図１１】  図１０のマグネット遮蔽部（開状態）模式的Ｍ−Ｍ断面図である。
【図１２】  図４におけるＨ−Ｈ矢視断面の排泄袋（開状態）模式的平面図である。
【図１３】  図１２の排泄袋（開状態）模式的Ｊ−Ｊ断面図である。
【図１４】  図４におけるＨ−Ｈ矢視断面の排泄袋（閉状態）模式的平面図である。
【図１５】  図１４の排泄袋（閉状態）模式的Ｋ−Ｋ断面図である。
【図１６】  排泄袋用密閉ラチェットバンドと密閉ガイドスプリングワイヤーの模式的動作ステップ図。
【図１７】  排泄袋密閉型格納キットの模式的動作ステップ図
【発明を実施するための形態】
【００１５】  以下、本発明の実施形態に係る排泄袋密閉型格納キットについて、図面を参照しながら詳細に説明する。なお本発明は、以下に示される実施形態に限定されるものではなく、本発明の技術的思想を逸脱しない範囲内で各種の変更が可能である。
【００１６】  図１は、ガードプレート１と内蔵するマグネット遮蔽蓋３の模式的平面図であり、主たる図の断面矢視方向を示している、排泄袋密閉型格納キットの組立平面模式図である、図２は組立模式的斜視図であり、図３は本発明の模式的外観側面図であり、排泄袋格納バッケットがジャバラ機能を有し伸縮する形態であることを示す。
【００１７】  本実施形態の図４は図１のＣ−Ｃ模試的断面図であり、ガードプレート１に内臓されたマグネット遮蔽蓋３の密閉シート３０２が開き、排泄袋格納バッケット２の密閉ガイドスプリングワイヤー５が引かれ、密閉ラチェットバンド４が排泄袋６を閉じた状態を示す。
【００１８】  図５は、図１のＢ−Ｂ矢視を模試的外形図であり、ガードプレート１が排泄袋格納バッケット２を結合する固定バンド１０１と固定凸型突起１０３の固定形態を示す。
【００１９】  図６は、図１のＤ−Ｄ矢視を模試的断面図であり、図７は、図４のＦ部詳細の模試的断面図を示し、本発明のマグネット遮蔽蓋３がマグネット遮蔽蓋受板１０２によって補佐され、ラチェット本体４０１とラチェットバンド４０２によって排泄袋６が密閉された状態を模式的図として示す。
【００２０】  図８は図４の模試的Ｇ−Ｇ断面であり、ガードプレート１に内蔵されたマグネット遮蔽蓋３の開閉は二分割された密閉シート３０２と磁性体３０１を開閉スライドレバー３０３が開閉スライドグリップ３０４を移動する事で行ない、本図はマグンネット部が閉じた状態を示し、密閉シート３０２の移動はマグネット遮蔽蓋受台１０２によってスムーズに行なう事が可能である、図９は、図８の模式的Ｌ−Ｌ断面図である。
【００２１】  図１０は、ガードプレート１に内蔵されたマグネット遮蔽蓋３の開閉機構において二分割された密封シート３０２が開いた状態を示し、図１１は図１０の模試的Ｍ−Ｍ断面図を示す。
【００２２】  また、図１２は、図４のＨ−Ｈ矢視の排泄袋格納バケット内の排泄袋（開状態）模式的断面図とし、密閉ガイドスプリングワイヤー５が排泄袋の外周に有り、密閉ラチェットバンド４が排泄袋格納バケット２に取り付けられ、手動密閉ワイヤー５の固定部２０１と手動密閉ワイヤー５用ガイドローラ２０２と手動密閉ワイヤー５用ガイドリング２０３と密閉ラチェットバンド４０２用ガイドプレート２０４によって密閉ガイドスプリングワイヤー５がガイドされていることを示している。図１３は、図１２におけるＪ−Ｊ模試的矢視図を示す。
【００２３】  また、図１４は、図４のＨ−Ｈ矢視の排泄袋格納バケット内の排泄袋（閉状態）模式的断面図であり、密閉ガイドスプリングワイヤー５が引かれ、密閉ガイドスプリングワイヤー５の内側が排泄袋をガイドして絞り、溝型の内側がラチェットバンド４０２をスライドさせてラチェット本体４０１の内部に誘導され密閉した状態を示す。図１５は図１４の模式的Ｋ−Ｋ矢視図を示す。
【００２４】  図１６は、本発明の排泄袋密閉型格納キットにおける密閉ガイドスプリングワイヤー５が密閉ラチェットバンド４に対して移動する際のラチェットバンド４０２が排泄袋を密閉する模試的動作を開状態から（ａ）（ｂ）（ｃ）（ｄ）の順に閉状態に成るまでを示す、密閉ガイドスプリングワイヤー５の内周面が排泄袋をガイドして絞り、溝型の溝内面をラチェットバンド４０２がスライドしラチェット本体４０１の内部に誘導密閉された状態を示す。
【００２５】図１７は、本発明の排泄袋密閉型格納キットを既設洋式トイレに対して設置から取出しまでの模試的動作を（ｅ）は、排泄袋６と密閉ラチェットバンド４がセットされた排泄袋密閉型格納キットを示し、（ｆ）は、洋式便器１１の便座１０に挿入しマグネット遮蔽蓋３の密封シート３０２が閉じた状態を示し、（ｇ）は、密封シート３０２を開いた状態を示す、（ｈ）は、排泄後に密封シート３０２を閉じた状態を示す、（ｉ）は、排泄袋密閉型格納キットを便座１０から取出して、密閉ガイドスプリングワイヤー５が引かれ、排泄袋を密閉ラチェットバンド４が密閉した状態を示す。（ｊ）は、ガードプレート１と排泄袋格納バケット２を分離した状態にて、排泄袋が密閉ラチェットバンド４にて、密閉され取出し可能な状態を示す。
【符号の説明】
【００２６】１      ガードプレート
１０１    １が２を固定する固定バンド
１０２    マグネット遮蔽蓋受台
１０３    固定凸型突起
１０４    ガイド溝
１０５    スライドガイド
２      排泄袋格納バケット
２０１  手動密閉ワイヤー５の固定部
２０２  手動密閉ワイヤー５用ガイドローラ１
２０３  手動密閉ワイヤー５用ガイドリング
２０４  密閉ラチェットバンド４０２用ガイドプレート
３    マグネット遮蔽蓋
３０１    密着部の磁性体
３０２    密閉シート
３０３    開閉スライドバー
３０４    開閉スライドバーグリップ
４      密閉ラチェットバンド
４０１    ラチェット本体
４０２    ラチェットバンド
５      密閉ガイドスプリングワイヤー
６      排泄袋
７      排泄物
８      滅菌凝固剤
９      臀部
１０    便座
１１    洋式便器
【図１】
2019072436.tif 000003
【図２】
2019072436.tif 000004
【図３】
2019072436.tif 000005
【図４】
2019072436.tif 000006
【図５】
2019072436.tif 000007
【図６】
2019072436.tif 000008
【図７】
2019072436.tif 000009
【図８】
2019072436.tif 000010
【図９】
2019072436.tif 000011
【図１０】
2019072436.tif 000012
【図１１】
2019072436.tif 000013
【図１２】
2019072436.tif 000014
【図１３】
2019072436.tif 000015
【図１４】
2019072436.tif 000016
【図１５】
2019072436.tif 000017
【図１６】
2019072436.tif 000018
【図１７】
2019072436.tif 000019
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
災害時及び非常時における排泄物の処理に対応する為のガードプレートと排泄袋格納バケットと密閉ラチェットバンドからなる排泄袋密閉型格納キットであって、前記のガードプレートはマグネット遮蔽蓋を内蔵し、前記の排泄袋格納バケットは排泄袋を取り出す事無く、溝型断面を持つ密閉ガイドスプリングワイヤーの内側溝に沿って前記の密閉ラチェットバンドをスライドさせてラチェット本体内部に誘導する事によって排泄袋の密閉を行なえる機構を有する排泄袋密閉型格納キット。
【請求項２】
既設の洋式便器及び非常用組立型洋式便器に対し、便座開口部に請求項１の排泄袋密閉型格納キットを用いる排泄密閉型格納キットの使用方法であって、請求項１のガードプレートのマグネット遮蔽蓋を開き排泄を行ない、排泄後に請求項１のガードプレートのマグネット遮蔽蓋を閉じ、請求項１の排泄袋密閉型格納キットを取り出し、密閉ガイドスプリングワイヤーを引く事で排泄袋を自動的に請求項１の密閉ラチェットバンドによって密閉させ、トイレ内を汚す事無く退出し、排泄物は衛生管理の出来ている場所にて排泄袋の処理を行なう排泄袋密閉型格納キットの使用方法。
【手続補正２】
【補正対象書類名】明細書
【補正対象項目名】００２３
【補正方法】変更
【補正の内容】
【００２３】  また、図１４は、図４のＨ−Ｈ矢視の排泄袋格納バケット内の排泄袋６（閉状態）模式的断面図であり、図１２平面図と図１３は模式的Ｊ−Ｊ矢視図を示し、排泄を行なった排泄袋６が解放された状態を表し、図１５は図１４の模式的Ｋ−Ｋ矢視図は、排泄終了後において請求項１における排泄袋６の密閉を行なえる機構である、密閉ガイドスプリングワイヤー５が引かれ、密閉ガイドスプリングワイヤー５の内側が排泄袋６をガイドし絞り、溝型の内側がラチェットバンド４０２をスライドさせてラチェット本体４０１の内部に誘導され密閉した状態を図７にて排泄袋６が密閉された状態を模式的図として示す。